【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
単独のハウジングを含む、非侵襲の統合されたポータブル電子装置において、
前記単独のハウジングは、
前記単独のハウジング内に統合される少なくとも一つの画像素子であって、少なくとも一つの放射信号を受信する、画像素子と、
前記単独のハウジング内に統合され、前記少なくとも一つの画像素子と通信上結合する、少なくとも一つのプロセッサであって、前記少なくとも一つの受信された放射信号を処理する、プロセッサと、
前記単独のハウジング内に統合され、前記少なくとも一つのプロセッサと通信上結合するディスプレイと
を含み、
前記少なくとも一つの受信された放射信号を基づいて、前記少なくとも一つのプロセッサは、
前記少なくとも一つの受信され処理された放射信号の分析と、前記ポータブル電子装置のメモリ内に格納されたデータとの対比とに基づいて、対象の内部の少なくとも一部を識別し、
連続する３次元の偏光の、分解の、リアルタイム画像を描画し、
前記ディスプレイを用いて、前記ディスプレイの表面から画像を上方に投射し、
前記少なくとも一つの画像素子、前記少なくとも一つのプロセッサ及び前記ディスプレイを含む前記単独のハウジングを含む、前記ポータブル電子装置が、前記対象に向けられ、前記対象から１メートル以内に遠隔して配置されつつも前記対象には前記ポータブル電子装置のどの部分も接していない、間に、前記対象の内部に仮想ウインドウをシミュレートし、ここで仮想ウインドウは前記対象の内部の少なくとも一部の識別情報を含むものであり、
シミュレートされた仮想ウインドウを用いて、非侵襲の前記ポータブル電子装置のユーザが前記対象の内部を見ることができるように、前記対象の内部の投射されたビューを提供し、
前記対象に対して、非侵襲の前記ポータブル電子装置の新しい位置に対応する前記対象の内部に、更新された仮想ウインドウをシミュレートする、
ポータブル電子装置。
【請求項２】
前記ディスプレイを含む、ポータブル電子装置が対象に対して移動すると、画像が変化して対象の少なくとも別の内部を表示する、請求項１に記載のポータブル電子装置。
【請求項３】
前記少なくとも一つの放射信号が、対象から反射された後、前記少なくとも一つの画像素子により受信されている、請求項１に記載のポータブル電子装置。
【請求項４】
前記少なくとも一つの放射信号が、対象を介して通過した後、前記少なくとも一つの画像素子により受信されている、請求項１に記載のポータブル電子装置。
【請求項５】
前記少なくとも一つの放射信号が、超音波信号である、請求項１に記載のポータブル電子装置。
【請求項６】
更に、
複数の放射信号を受信するように構成された複数の画像素子と、及び、
前記複数の画像素子と通信上結合し、前記受信された複数の放射信号を処理するように構成された、複数のプロセッサと
を含み、
前記複数のプロセッサは、対象の内部のリアルタイム画像を含むウインドウを前記ディスプレイに描画する、
請求項１に記載のポータブル電子装置。
【請求項７】
対象に向けられている間の、前記ディスプレイを含む前記ポータブル電子装置の移動により、前記ディスプレイのウインドウ内に、対象の別の内部の更新されたリアルタイム画像の描画が為される、請求項１に記載のポータブル電子装置。
【請求項８】
リアルタイム画像が、前記ディスプレイを含む前記ポータブル電子装置の移動の間に、継続的に更新される、請求項１に記載のポータブル電子装置。
【請求項９】
前記少なくとも一つの画像素子は、トランスデューサを含む、請求項１に記載のポータブル電子装置。
【請求項１０】
前記トランスデューサが、超音波トランスデューサである、請求項９に記載のポータブル電子装置。
【請求項１１】
ズームレベル、センタリングポジション、詳細度、内部の深さ、解像度、輝度、カラー、及び、それらの任意の組み合わせのうちの、少なくとも一つに基づいて、画像が調整される、請求項１に記載のポータブル電子装置。
【請求項１２】
識別情報が、テキスト及びグラフィックのうちの、少なくとも一つを含む、請求項１に記載のポータブル電子装置。
【請求項１３】
前記少なくとも一つのプロセッサは、前記ポータブル電子装置のメモリに格納された情報に基づいて、ウインドウ内に表示するための識別情報を生成する、請求項１２に記載のポータブル電子装置。
【請求項１４】
前記情報は、器官、動脈、静脈、組織、骨、及び、他の身体内容や部位のうちの、少なくとも一つと関連するデータを含む、請求項１３に記載のポータブル電子装置。
【請求項１５】
前記情報は、画像化された構造若しくはオブジェクトの、形状、カラー、テキスチャ、細胞特性、及び／又は組織特性のうちの、少なくとも一つと関連するデータを含む、請求項１３に記載のポータブル電子装置。
【請求項１６】
前記情報は、画像化された構造若しくはオブジェクト内の一つ若しくはそれ以上の異常に関連するデータを含む、請求項１３に記載のポータブル電子装置。
【請求項１７】
対象は、人体及び人体の部位のうちの、少なくとも一つを含む、請求項１に記載のポータブル電子装置。
【請求項１８】
更に、
少なくとも一つの放射センサを含み、前記少なくとも一つの放射センサは前記少なくとも一つのプロセッサと通信上結合しており、
前記少なくとも一つ放射センサは、対象により反射する、若しくは対象を介して通過する放射を受信し、
前記少なくとも一つのプロセッサは、前記少なくとも一つの放射センサにより受信された前記放射に少なくとも部分的に基づいて、リアルタイム画像を描画する、請求項１に記載のポータブル電子装置。
【請求項１９】
非侵襲の統合されたポータブル電子装置を用いて対象の内部を画像化する方法において、
前記ポータブル電子装置は単独のハウジングを含み、
前記単独のハウジングは、
前記単独のハウジング内に統合される少なくとも一つの画像素子と、
前記単独のハウジング内に統合され、前記少なくとも一つの画像素子と通信上結合する、少なくとも一つのプロセッサと、
前記単独のハウジング内に統合され、前記少なくとも一つのプロセッサと通信上結合するディスプレイと
を含み、
前記方法は、
前記対象から１メートル以内でありつつも前記対象には前記ポータブル電子装置のどの部分も接することなく、前記ポータブル電子装置を遠隔して配置するステップと、
前記少なくとも一つの画像素子を用いて、少なくとも一つの放射信号を受信するステップと、
前記少なくとも一つのプロセッサを用いて、前記少なくとも一つの受信された放射信号を処理するステップと、
前記少なくとも一つのプロセッサを用いて、前記少なくとも一つの受信され処理された放射信号に基づいて、連続する３次元の偏光の、分解の、リアルタイム画像を前記ディスプレイに描画するステップと、
前記ディスプレイを用いて、前記ディスプレイの表面から画像を上方に投射するステップと、
前記少なくとも一つの画像素子、前記少なくとも一つのプロセッサ及び前記ディスプレイを含む前記単独のハウジングを含む、前記ポータブル電子装置が、前記対象に向けられている間に、前記少なくとも一つのプロセッサを用いて、前記描画された画像に基づいて、前記対象の内部に仮想ウインドウをシミュレートするステップと、
シミュレートされた仮想ウインドウを用いて、前記ポータブル電子装置のユーザが前記対象の内部を見ることができるように、前記対象の内部の投射されたビューを提供するステップと、
前記対象に対して非侵襲の前記ポータブル電子装置の新しい位置に対応する前記対象の内部に、更新された仮想ウインドウをシミュレートするステップと、並びに、
前記少なくとも一つのプロセッサを用いて、前記少なくとも一つの受信され処理された放射信号の分析と、前記ポータブル電子装置のメモリ内に格納されたデータとの対比とに基づいて、前記対象の内部の少なくとも一部を識別して、前記ディスプレイを用いて前記仮想ウインドウ内に、
前記対象の内部の識別された少なくとも一部と関連する少なくとも一つの識別情報と、及び、
前記対象の内部の識別された少なくとも一部と関連する少なくとも一つの異常を示すデータと
を表示するステップと
を含む、方法。
【請求項２０】
非侵襲の統合されたポータブル電子装置において、
前記ポータブル電子装置は単独のハウジングを含み、
前記単独のハウジングは、
前記単独のハウジング内に統合される少なくとも一つの画像素子であって、少なくとも一つの放射信号を受信し、少なくとも一つの超音波トランストランスデューサを含み、前記少なくとも一つの放射信号が超音波である、少なくとも一つの画像素子と
前記単独のハウジング内に統合され、前記少なくとも一つの画像素子と通信上結合し、前記少なくとも一つの受信された放射信号を処理する、少なくとも一つのプロセッサと、並びに、
前記単独のハウジング内に統合され、前記少なくとも一つのプロセッサと通信上結合するディスプレイと
を含み、
前記少なくとも一つの受信され処理された放射信号に基づいて、前記少なくとも一つのプロセッサは、
連続する３次元の偏光の、分解の、リアルタイム画像を描画し、
前記ディスプレイを用いて、前記ディスプレイの表面から画像を上方に投射し、
前記ディスプレイを含む、前記ポータブル電子装置が、前記対象に向けられている間に、前記描画された画像に基づいて、対象の内部に仮想ウインドウをシミュレートし、
前記シミュレートされた仮想ウインドウを用いて、非侵襲の前記ポータブル電子装置のユーザが前記対象の内部を見ることができるように、前記対象の内部の投射されたビューを提供し、
前記対象に対して非侵襲の前記ポータブル電子装置の新しい位置に対応する前記対象の内部に、更新された仮想ウインドウをシミュレートし、ここで画像は、前記少なくとも一つの画像素子、前記少なくとも一つのプロセッサ及び前記ディスプレイを含む前記単独のハウジングを含む、前記ポータブル電子装置が、前記対象から１メートル以内でありつつも前記対象には前記ポータブル電子装置のどの部分も接することなく、遠隔して配置される間に、描写されるものであり、
並びに、
前記少なくとも一つの受信され処理された放射信号の分析と、前記ポータブル電子装置のメモリ内に格納されたデータとの対比とに基づいて、前記対象の内部の少なくとも一部を識別して、前記仮想ウインドウ内に、
前記対象の内部の識別された少なくとも一部と関連する少なくとも一つの識別情報と、及び、
前記対象の内部の識別された少なくとも一部と関連する少なくとも一つの異常を示すデータと
を表示する
ポータブル電子装置。